(57)【特許請求の範囲】
【請求項１】
乾燥牧草、稲わら等の短尺切断飼料材料とビール粕や豆腐粕等の食品副産物との混合飼料の飼料圧縮物に、その周りのプラスチックフィルムの螺旋状縦巻きとその上に重なるプラスチックフィルムの全幅での横巻きとで構成されるラップベールを有するウエット飼料。
【請求項２】
縦巻きステーションにおいて、押出成形機の、横断面長方形で４隅が切除されている押出ノズルの周りに、プラスチックフィルムを、ストレッチの下に、一部がノズルの開口端からはみ出した状態で縦巻きとして予め数回巻き付けてフィルム巻き層を形成しておく段階と、次いで、飼料圧縮物を成形機のボックス形プッシャーの前進により押出ノズルの中に押し込んで、プラスチックフィルムの、前記ノズルの切除部に位置したフィルム巻き層部分に圧接させる段階と、プッシャーの更なる前進によりノズルを通して飼料圧縮物を押出して、ノズル上に巻かれていたプラスチックフィルム巻き層部分を、内側から飼料圧縮物と一緒にノズルから螺旋状に引き出し、それと略同時にノズルの周りにプラスチックフィルムを巻き始める段階と、飼料圧縮物がノズルから十分遠ざかるまで、ノズルからのフィルムの螺旋状の引き出が継続し、それにより、飼料圧縮物の周りにフィルムの螺旋縦巻きを形成する段階と、フィルムがノズルに巻かれている間にプッシャーを、ノズルを通して引っ込める段階と、ノズルの開口端と飼料圧縮物の後端との間のフィルムの螺旋巻き部分をその略中間で切断する段階と、螺旋巻きされた飼料圧縮物を横巻きステーションに搬送する段階と、横巻きステーションにおいて、飼料圧縮物を水平平面において回転させる段階と、飼料圧縮物の回転によりプラスチックフィルムをその全幅で、螺旋巻きの上から数回横巻きする段階と、を経て生産される、ラップベールウエット飼料の製造方法。
【請求項３】
フィルムの切断段階に続いてプラスチックフィルムをノズルに少なくとも一回補充的に巻き付ける段階を更に含む、請求項２によるラップベールウエット飼料の製造方法。
【請求項４】
横断面が長方形で４隅が切除されている押出ノズルと、飼料圧縮物を押出ノズルを通して押し出すためのボックス形プッシャーとを有する水平な押出成形機と、縦向きの固定リングと、固定リングに対して回転自在に取り付けられた回転リングと、回転リングに装着されたプラスチックフィルム供給ユニットと、フィルム供給ユニットからのフィルムをストレッチの下に、一部が押出成形機のノズルの開口端からはみ出した状態でノズルに巻き付けてフィルム巻き層を形成するために、回転リングを回転させるための回転駆動手段と、成形機から飼料圧縮物を押出ノズルを通して押し出し、ついで，ノズルから十分離れた位置まで押すようにボックス型プッシャーを前進させ、押出ノズルを通して成形機までボックス型プッシャーを引っ込ませるための手段と、を含み、飼料圧縮物の押出中飼料圧縮物が前記ノズルの切除部に位置したフィルムの巻き層部分に圧接して、該部分が内側から飼料圧縮物と一緒にノズルから引き出されて、飼料圧縮物の周りにフィルムの螺旋巻きを形成し、螺旋巻きは、飼料圧縮物がノズルから十分離れた位置まで押されるまで継続し、螺旋巻きの形成の間ノズルにフィルム供給ユニットから引き出されるべきプラスチックフィルムをノズルに巻くために、回転リングを回転させるべく回転駆動手段を起動し、プッシャーを、ノズルを通して引っ込めた後、ノズルの開口端と飼料圧縮物の後端との間のフィルムの螺旋巻き部分をその略中間で切断するための切断装置を含み、フィルムの切断後、回転駆動手段を再起動して回転リングの回転によりプラスチックフィルムをノズルに補充的に巻くことを特徴とするラップベールの螺旋縦巻き装置。
【請求項５】
プラスチックフィルムで螺旋縦巻きされた飼料圧縮物を受ける回転コンベヤ手段と、回転コンベヤ手段を支持するターンテーブルと、ターンテーベルに設けられた、飼料圧縮物を回転コンベヤに対して昇降させるためのリフタ装置と、飼料圧縮物を回転コンベヤ手段から上昇させた状態において、飼料圧縮物を水平平面において回転コンベヤ及びターンテーブルと一緒に回転させるスイベル手段と、プラスチックフィルム供給ユニットと、ターンテーブルに取り付けられた、フィルム供給ユニットから繰り出されるプラスチックフィルムを掴んだり放したりするためのチャック装置と、飼料圧縮物の回転により、プラスチックフィルムをその全幅で、螺旋巻きの上から数回横巻きし、飼料圧縮物に横巻きされたプラスチックフィルムをチャック装置で掴んだ後プラスチックフィルムを切断するための切断装置と、を含むことを特徴とするラップベールの横巻き装置。
【請求項６】
縦巻きステーションと、横巻きステーションとを含み、縦巻きステーションは、横断面が長方形で４隅が切除されている押出ノズルと、飼料圧縮物を押出ノズルを通して押し出すためのボックス形プッシャーとを有する水平な押出成形機と、縦向きの固定リングと、固定リングに対して回転自在に取り付けられた回転リングと、回転リングに装着されたプラスチックフィルム供給ユニットと、フィルム供給ユニットからのフィルムをストレッチの下に、一部が押出成形機のノズルの開口端からはみ出した状態でノズルに巻き付けてフィルム巻き層を形成するために、回転リングを回転させるための回転駆動手段と、成形機から飼料圧縮物を押出ノズルを通して押し出し、ついで，ノズルから十分離れた位置まで押すようにボックス型プッシャーを前進させ、押出ノズルを通して成形機までボックス型プッシャーを引っ込ませるための手段と、を含み、飼料圧縮物の押出中飼料圧縮物が前記ノズルの切除部に位置したフィルムの巻き層部分に圧接して、該フィルム巻き層部分が内側から飼料圧縮物と一緒にノズルから引き出されて、飼料圧縮物の周りにフィルムの螺旋巻きを形成し、螺旋巻きは、飼料圧縮物がノズルから十分離れた位置まで押されるまで継続し、螺旋巻きの形成の間ノズルにフィルム供給ユニットから引き出されるべきプラスチックフィルムをノズルに巻くために、回転リングを回転させるべく回転駆動手段を起動し、プッシャーを、ノズルを通して引っ込めた後、ノズルの開口端と飼料圧縮物の後端との間のフィルムの螺旋巻き部分をその略中間で切断するための切断装置を含み、フィルムの切断後、回転駆動手段を再起動して回転リングの回転によりプラスチックフィルムをノズルに補充的に巻き、螺旋縦巻きされた飼料圧縮物を横巻きステーションに搬送するための定置コンベヤ手段を含み、横巻きステーションは、搬送された飼料圧縮物を受ける回転コンベヤ手段と、回転コンベヤ手段を支持したターンテーブルと、ターンテーベルに設けられた、飼料圧縮物を回転コンベヤに対して昇降させるためのリフタ装置と、飼料圧縮物を回転コンベヤ手段から上昇させた状態において、飼料圧縮物を水平平面において回転コンベヤと一緒に回転させるスイベル手段と、プラスチックフィルム供給ユニットと、ターンテーブルに取り付けられた、フィルム供給ユニットから繰り出されるプラスチックフィルムを掴んだり放したりするためのチャック装置と、飼料圧縮物の回転により、プラスチックフィルムをその全幅で、螺旋巻きの上から数回横巻きし、飼料圧縮物に横巻きされたプラスチックフィルムをチャック装置で掴んだ後プラスチックフィルムを切断するための切断装置と、を含むことを特徴とするラップベールの形成装置。
【発明の詳細な説明】
【技術分野】
【０００１】
本発明は、飼料圧縮成形物にプラスチックフィルムを縦横重ね巻きしてなるラップベールウエット飼料及びその製造方法並びに飼料圧縮成形物にラップベールを形成するための装置に関する。
【０００２】
本発明者は、乾燥牧草、稲わら等の短尺切断飼料材料にビール粕や豆腐粕等の食品副産物を混合し、その混合飼料を圧縮成形して飼料成形物とし、それにプラスチックフィルムを縦横に重ね巻きして成るラップベールウエット飼料を社会に開示している（特許文献１）。ラップベールの目的は、外気を遮断して、その中のウエット飼料を所定の貯蔵期間で乳酸発酵させ、それによって牛のような家畜に好適な飼料を得ることにある。
【０００３】
特許文献１に開示されているラップベールウエット飼料は、横断面が長方形で、比較的長く、重さが約５００Ｋｇのものであり、そのため、扱い難く、運搬には、フォークリフトトラック等の運搬車両の使用が欠かせない。また、飼料圧縮物を覆うラップベールは、それぞれプラスチックフィルムを一部重ね合わせて螺旋状に巻いた縦巻きと横巻きで構成されるため、巻き終わるまでに比較的時間がかかる。このようなことから、扱い易く、手で持ち運びができ、しかも短時間に生産することができるラップベールウエット飼料の出現が強く求められてきた。
【先行技術文献】
【特許文献】
【０００４】
【特許文献１】特開２００６−３４５７７３
【発明の概要】
【発明が解決しようとする課題】
【０００５】
本発明の目的は、かかる要求を満たすラップベールウエット飼料を提供することにある。
【０００６】
本発明の他の目的は、かかるラップベールウエット飼料を迅速且つ効率的に生産することができる方法を提供するにある。
【０００７】
本発明のさらに他の目的は、かかる方法を実現するためのラップベール形成装置を提供することにある。
【課題を解決するための手段】
【０００８】
本発明の上記の目的は、乾燥牧草、稲わら等の短尺切断飼料材料とビール粕や豆腐粕等の食品副産物との混合飼料の飼料圧縮物に、その周りのプラスチックフィルムの螺旋状縦巻きとその上に重なるプラスチックフィルムの全幅での横巻きとで構成されるラップベールを有するウエット飼料を提供することによって達成される。
【０００９】
本発明によれば、このラップベールウエット飼料は、縦巻きステーションにおいて、押出成形機の、横断面長方形で４隅が切除されている押出ノズルの周りに、プラスチックフィルムを、ストレッチの下に、一部がノズルの開口端からはみ出した状態で縦巻きとして予め数回巻き付けてフィルム巻き層を形成しておく段階と、次いで、飼料圧縮物を成形機のボックス形プッシャーの前進により押出ノズルの中に押し込んで、プラスチックフィルムの、前記ノズルの切除部に位置したフィルム巻き層部分に圧接させる段階と、プッシャーの更なる前進によりノズルを通して飼料圧縮物を押出して、ノズル上に巻かれていたプラスチックフィルムの巻き層部分を、内側から飼料圧縮物と一緒にノズルから螺旋状に引き出し、それと略同時にノズルの周りにプラスチックフィルムを巻き始める段階と、飼料圧縮物がノズルから十分遠ざかるまで、ノズルからのフィルムの螺旋状の引き出が継続し、それにより、飼料圧縮物の周りにフィルムの螺旋縦巻きを形成する段階と、フィルムがノズルに巻かれている間にプッシャーを、ノズルを通して引っ込める段階と、ノズルの開口端と飼料圧縮物の後端との間のフィルムの螺旋巻き部分をその略中間で切断する段階と、螺旋巻きされた飼料圧縮物を横巻きステーションに搬送する段階と、横巻きステーションにおいて、飼料圧縮物を水平平面において回転させる段階と、飼料圧縮物の回転によりプラスチックフィルムをその全幅で、螺旋巻きの上から数回横巻きする段階と、を経て生産される。本発明によれば、フィルムの切断段階に続いてプラスチックフィルムをノズルに少なくとも一回補充的に巻き付ける段階を更に含むのが良い。
【００１０】
本発明の他の目的は、横断面が長方形で４隅が切除されている押出ノズルと、飼料圧縮物を押出ノズルを通して押し出すためのボックス形プッシャーとを有する水平な押出成形機と、縦向きの固定リングと、固定リングに対して回転自在に取り付けられた回転リングと、回転リングに装着されたプラスチックフィルム供給ユニットと、フィルム供給ユニットからのフィルムをストレッチの下に、一部が押出成形機のノズルの開口端からはみ出した状態でノズルに巻き付けてフィルム巻き層を形成するために、回転リングを回転させるための回転駆動手段と、成形機から飼料圧縮物を押出ノズルを通して押し出し、ついで，ノズルから十分離れた位置まで押すようにボックス型プッシャーを前進させ、押出ノズルを通して成形機までボックス型プッシャーを引っ込ませるための手段と、を含み、飼料圧縮物の押出中飼料圧縮物が前記ノズルの切除部に位置したフィルムの巻き層部分に圧接して、該フィルム巻き層部分が内側から飼料圧縮物と一緒にノズルから引き出されて、飼料圧縮物の周りにフィルムの螺旋巻きを形成し、螺旋巻きは、飼料圧縮物がノズルから十分離れた位置まで押されるまで継続し、螺旋巻きの形成の間ノズルにフィルム供給ユニットから引き出されるべきプラスチックフィルムをノズルに巻くために、回転リングを回転させるべく回転駆動手段を起動し、プッシャーを、ノズルを通して引っ込めた後、ノズルの開口端と飼料圧縮物の後端との間のフィルムの螺旋巻き部分をその略中間で切断するための切断装置を含み、フィルムの切断後、回転駆動手段を再起動して回転リングの回転によりプラスチックフィルムをノズルに補充的に巻くことを特徴とするラップベールの螺旋縦巻き装置を提供することによって達成される。
【００１１】
本発明の更に他の目的は、プラスチックフィルムで螺旋縦巻きされた飼料圧縮物を受ける回転コンベヤ手段と、回転コンベヤ手段を支持するターンテーブルと、ターンテーベルに設けられた、飼料圧縮物を回転コンベヤに対して昇降させるためのリフタ装置と、飼料圧縮物を回転コンベヤ手段から上昇させた状態において、飼料圧縮物を水平平面において回転コンベヤ及びターンテーブルと一緒に回転させるスイベル手段と、プラスチックフィルム供給ユニットと、ターンテーブルに取り付けられた、フィルム供給ユニットから繰り出されるプラスチックフィルムを掴んだり放したりするためのチャック装置と、飼料圧縮物の回転により、プラスチックフィルムをその全幅で、螺旋巻きの上から数回横巻きし、飼料圧縮物に横巻きされたプラスチックフィルムをチャック装置で掴んだ後プラスチックフィルムを切断するための切断装置と、を含むことを特徴とするラップベールの横巻き装置を提供することによって達成される。
【００１２】
本発明の更に他の目的は、縦巻きステーションと、横巻きステーションとを含み、縦巻きステーションは、横断面が長方形で４隅が切除されている押出ノズルと、飼料圧縮物を押出ノズルを通して押し出すためのボックス形プッシャーとを有する水平な押出成形機と、縦向きの固定リングと、固定リングに対して回転自在に取り付けられた回転リングと、回転リングに装着されたプラスチックフィルム供給ユニットと、フィルム供給ユニットからのフィルムをストレッチの下に、一部が押出成形機のノズルの開口端からはみ出した状態でノズルに巻き付けてフィルム巻き層を形成するために、回転リングを回転させるための回転駆動手段と、成形機から飼料圧縮物を押出ノズルを通して押し出し、ついで，ノズルから十分離れた位置まで押すようにボックス型プッシャーを前進させ、押出ノズルを通して成形機までボックス型プッシャーを引っ込ませるための手段と、を含み、飼料圧縮物の押出中飼料圧縮物が前記ノズルの切除部に位置したフィルムの巻き層部分に圧接して、該フィルム巻き層部分が内側から飼料圧縮物と一緒にノズルから引き出されて、飼料圧縮物の周りにフィルムの螺旋巻きを形成し、螺旋巻きは、飼料圧縮物がノズルから十分離れた位置まで押されるまで継続し、螺旋巻きの形成の間ノズルにフィルム供給ユニットから引き出されるべきプラスチックフィルムをノズルに巻くために、回転リングを回転させるべく回転駆動手段を起動し、プッシャーを、ノズルを通して引っ込めた後、ノズルの開口端と飼料圧縮物の後端との間のフィルムの螺旋巻き部分をその略中間で切断するための切断装置を含み、フィルムの切断後、回転駆動手段を再起動して回転リングの回転によりプラスチックフィルムをノズルに補充的に巻き、螺旋縦巻きされた飼料圧縮物を横巻きステーションに搬送するための定置コンベヤ手段を含み、横巻きステーションは、搬送された飼料圧縮物を受ける回転コンベヤ手段と、回転コンベヤ手段を支持したターンテーブルと、ターンテーベルに設けられた、飼料圧縮物を回転コンベヤに対して昇降させるためのリフタ装置と、飼料圧縮物を回転コンベヤ手段から上昇させた状態において、飼料圧縮物を水平平面において回転コンベヤと一緒に回転させるスイベル手段と、プラスチックフィルム供給ユニットと、ターンテーブルに取り付けられた、フィルム供給ユニットから繰り出されるプラスチックフィルムを掴んだり放したりするためのチャック装置と、飼料圧縮物の回転により、プラスチックフィルムをその全幅で、螺旋巻きの上から数回横巻きし、飼料圧縮物に横巻きされたプラスチックフィルムをチャック装置で掴んだ後プラスチックフィルムを切断するための切断装置と、を含むことを特徴とするラップベールの形成装置を提供することによって達成される。
【００１３】
本発明によるラップベールの形成装置の更なる特徴及び利点は以下の詳細な説明から明らかになろう。
【図面の簡単な説明】
【００１４】
【図１】本発明によるラップベール形成装置全体の側面図である。
【図２】ラップベール形成装置の平面図である。
【図３】押出機のノズル及びボックス型プッシャーの拡大斜視図である。
【図４】ラップベール形成装置の縦巻きステーションの背面図である。
【図５】縦巻きステーションの概略断面側面図である。
【図６】回転リングに装着されるプラスチックフィルム供給ユニットの拡大背面図である。
【図７】プラスチックフィルム供給ユニットの平面図である。
【図８】プラスチックフィルムの供給ユニットの側面図である。
【図９】延伸ローラ部分の側面図である。
【図１０】横巻きステーションの側面図である。
【図１１】横巻きステーションの概略平面図である。
【図１２】横巻きステーションを正面側から見た立面図である。
【図１３】横巻きステーションのチャック装置及びヒートカッタ装置の平面図である。
【図１４】横巻き用のプラスチックフィルム供給ユニットの拡大平面図である。
【図１５】図１４に示すフィルム供給ユニットの立面図である。
【図１６】フィルム供給ユニットの一部の立面図である。
【発明を実施するための形態】
【００１５】
図１及び２を参照すると、本発明による、飼料圧縮物にラップベールを形成するための設備１が示されており、該設備は、縦巻きステーションＳ１及び横巻きステーションＳ２を含む。縦巻きステーションＳ１は、フレーム組立体２に固定された定置リング３と、定置リング３に回転自在に取り付けられた回転リング４と、回転リング４にその直径方向に対向して装着されたフィルム供給ユニット５、５と、回転リング４を回転させるための回転動力伝達装置６と、を含む。回転動力伝達装置は、フレーム組立体２に固定されたモータ７からそのプーリ８を介して回転を回転リング４に伝えるためのプーリ・ベルト９を含む。
【００１６】
各フィルム供給ユニット５は、図６乃至９に示すように、回転リング４に固定されたベース１０と、ベースと垂直に設けられ、プラスチックフィルムＦのロール１１を着脱自在に取り付けるための片持ち支持軸１２と、支持軸１２と平行に延びる、ベース１０上の固定部材１３の両端に固定された一対の支持部材１４、１４と、支持部材の一方のアーム１５ａに枢着１６され、連結ロッド１７で互いに連結された一対の可動支持部材１８、１８と、可動支持部材間に回転自在に設けられ、互いに噛み合った直径の異なる歯車１９、２０によって互いに連結された一対のローラ２１、２１と、可動支持部材１８、１８間に回転自在に設けられたガイドローラ２２、２３と、可動支持部材１８を、枢着軸線を中心にフィルムロール１１に向かって回動させて上流側のローラ２１をフィルムロール１１に圧接させてフィルムロール１１に制動を付与するために、一端が支持部材１４の他方のアーム１５ｂに連結され、他端が可動支持部材１８、１８に連結されたコイルスプリング２４と、を含む。
【００１７】
フィルムロール１１から引き出されたプラスチックフィルムＦは、上流側のローラ２１と下流側のローラ２１にたすき掛けして通され、次いで一対のガイドローラ２２、２３に同じくたすき掛けして通される。かくして、プラスチックフィルムＦが、歯車比により下流側のローラ２１を上流側のローラ２１よりも早い速度で駆動するから、フィルムはローラ間で引き伸ばされる。プラスチックフィルムＦは、例えば、幅５０cm、引き伸ばされとネックダウンが起こって幅４５cmになる。
【００１８】
回転リング４乃至フィルム供給ユニット５の上流側には、回転リング４の軸線と整合する位置に押出機２６がある（図１及び２参照）。押出機２６は、該押出機からその軸線に沿って前方に延びた押出ノズル２７と、該押出ノズルを通して飼料圧縮物２８を押出すため、押出ノズル２７の中を通り越す前方位置まで前進し、押出後後方位置まで後退するようになったボックス型プッシャー２５と、を有する。押出ノズル２７は、該ノズルから押し出される飼料圧縮物を下から支えるために、その底から前方に延びた舌片２７ａを有するのがよい。
【００１９】
飼料圧縮物２８は、乾燥牧草、稲わら等の短尺切断飼料材料とビール粕や豆腐粕等の食品副産物との混合飼料からなり、図示してない圧縮機を経て押出機２６に供給されるようになっている。飼料圧縮物は、押出ノズル２７を通して押し出されると、幾分膨張するが、その大きさは、例えば幅３５cm、高さ３０cm、長さ５０cmである。
【００２０】
図３ではっきり分かるように、押出ノズル２７は、横断面が横長の長方形であり、その四隅に末広がり状切除部２９を有している。押出ノズル２７は、回転リング４が回転されるとき、フィルム供給ユニット５から繰り出されるプラスチックフィルムＦによって、その一部がノズル２７の開口端からはみ出した状態で巻かれるような寸法形状を有している。押出ノズル２７と押出機２６との間には、アクチュエータ（図示せず）によって昇降されるゲート３０が設けられている。ゲート３０は、開口部３１を有し、上昇位置にあるとき、圧縮機から押出機に供給された飼料圧縮物を、押出に先立って形を整えるために最初短いストローク前進するプッシャーによって長手方向に幾分圧縮するために押出機を塞ぐのに役立ち、下降位置にあるとき、開口部３１は押出機のボックス型プッシャー２５と整合し、引き続いて前進するプッシャーによる飼料圧縮物の押出を可能にする。
【００２１】
押出ノズル２７の底に近いレベルで、その前方には、フレーム組立体２の支柱２ａによって水平に支持された定置ベルトコンベヤ３２が設置されている。定置ベルトコンベヤ３２は、ボックス型プッシャー２５でノズルから押し出され、後述するようにフィルムＦで螺旋状に巻かれた飼料圧縮物２８を受け止めるようになっている。定置ベルトコンベヤ３２は、これと同じレベルでその下流に設置された回転ベルトコンベヤ３３に飼料圧縮物を搬送するため定置コンベヤ３２を走行させるための駆動装置３４を含む。
【００２２】
フレーム組立体２の水平ビーム２ｂには、回転リング４の下流で、それに隣接して、しかも定置ベルトコンベヤ３２の後方部分の真上に、押さえ装置３５が取り付けられている（図1,4及び５を参照）。押さえ装置３５は、複数の回転可能なローラ３６と、該ローラを昇降させるための、エアシリンダのようなアクチエータ３７とを備え、ボックス型プッシャー２５の後退の際、ベルトコンベヤ３２上のフィルム巻きされた飼料圧縮物２８の不用意な移動を防止するために、ローラ３６は、アクチュエータ３７の作用で飼料圧縮物２８に向かって下げられて飼料圧縮物をベルトコンベヤ３２に上から押さえ付ける働きをする。プッシャー２５が後退すると、アクチュエータ３７が作動して飼料圧縮物２８の押さえを解放する為ローラ３６を上昇させる。
【００２３】
フィルムを切断するための切断装置３８がフレーム組立体２の垂直側部材２ｃに設置されている。切断装置３８は、回転リング４の下流から上流に向かって延び、アクチエータ３９によって上下に６０°の範囲に亙って回動されるスイングアーム４０を含み、その先端には、片持ちのヒートカッタ４１が水平に取り付けられている。
【００２４】
フィルム供給ユニット５から引っ張りだされるプラスチックフィルムが、ストレッチの下に押出機の押出ノズル２７に所要回数巻かれて巻き層を形成しているものと仮定する。先に述べたように、フィルムの巻き層の一部はノズルの開口端からはみ出してくびれ４２を形成していることは理解されよう。飼料圧縮物２８が押出機２６からボックス型プッシャー２５によって押出ノズル２７の中に押し込まれてフィルム巻き層のくびれ４２に達したとき、プラスチックフィルムの、押出ノズル２７の切除部２９に位置した巻き層部分に圧接するため、該フィルム巻き層は、さらに前進するプッシャー２５によりノズル２７を通して押し出される飼料圧縮物２８と一緒に、その内側から螺旋状に引き出され、この引き出しは、ボックス型プッシャー２５が押出ノズル２７の開口端を通り越してその前方位置に達し、飼料圧縮物２８を定置ベルトコンベヤ３２上へ押すまで続けられ、飼料圧縮物２８の周りにプラスチックフィルムの螺旋縦巻きを形成する。プラスチックフィルムの螺旋縦巻きの形成が開始されると、回転動力伝達装置のモータ７が作動して回転リング4を回転させて、フィルム供給ユニット５から引き出されるプラスチックフィルムを、上記の態様で、押出ノズル２７に巻き付ける。
【００２５】
フィルムで螺旋巻きされた飼料圧縮物２８は、押さえ装置のアクチュエータ３７の作動で降下されるローラ３６によって定置ベルトコンベヤ３２に上から押さえ付けられ、ボックス型プッシャー２５の円滑な後退を可能にする。プッシャー２５の後退している間回転リング４は依然として、しかしゆっくり数回回転し続けてプラスチックフィルムを押出ノズル２７に巻き付け、そして一旦停止する。プッシャー２５の後退に続いて、切断装置３８のアクチュエータ３９が作動してスイングアーム４０をその上限位置から下限位置に向かって回動させ、それにより、ヒータカッタ４１で飼料圧縮物２８とノズル２７との間に位置する引き出されたフィルムを切断する。フィルムの切断後、押さえ装置３５のローラ３６はアクチュエータ３７の作動で持ち上げられて飼料圧縮物２８から離れ、略同時に、駆動装置３４が作動して定置コンベヤ３２を走行させ、飼料圧縮物２８を下流の回転ベルトコンベヤ３３へ搬送する。飼料圧縮物のコンベヤによる移動と略同時にスイングアーム４０が逆転してヒータカッタ４１をもとの位置に戻す。引き続いて、回転リング４が少なくとも1回再び回転して、押出ノズル５に、所要回数巻かれて次の螺旋縦巻きに必要な、上述したフィルムの巻き層を形成する。このようにして、次々に螺旋縦巻きされた飼料圧縮物が作られるが、その前面及び後面の一部はフィルム巻きの切り口から露出していることは理解されよう。
【００２６】
図１,２,10乃至１３を参照すると、横巻きステーションＳ２は、この回転ベルトコンベヤ３３と、横巻き用のフィルム供給ユニット６１、とを含む。回転ベルトコンベヤ３３は、これと同じレベルでその下流に設置されたローラコンベヤ（図示せず）に飼料圧縮物２８を搬送するため、ベルトコンベヤ３３を走行させるための駆動装置４２を含む。回転ベルトコンベヤ３３は、その両側の支柱４３及び十字状ターンテーブル４４を介してスイベル装置４５に連結されている。スイベル装置４５は、固定ベース４６と、ベース４６から垂直に延びる固定中空軸４７と、固定中空軸４７の周りの回転モータ部４８とを含む。十字状ターンテーブル４４には、ベルトコンベヤ３３の両側にリフト装置４９、４９が設置されている。リフト装置４９、４９の各々は、ベルトコンベヤ３３の側に沿って延びるリフタープレート５０と、リフタープレート５０を昇降させるためのエアシリンダ装置５１とを含み、該エアシリンダ装置５１は、ターンテーブル４４に固定されたブラケット５２に取り付けられている。ターンテーブル４４には、エアシリンダ装置５１を干渉しないためこれを受け入れるための開口４４ａが設けられている。後述するように、プラスチックフィルムの横巻きに先立って、エアシリンダ装置５１は、リフタープレート５０が、飼料圧縮物２８のベルトコンベヤ３３からはみ出した部分の底に係合して飼料圧縮物２８をベルトコンベヤ３３の面から持ち上げるため、リフターブレート５０を上昇させ、また横巻きの完了後、飼料圧縮物２８をベルトコンベヤ３３に戻すために、リフタープレート５０を引っ込めるように作動する。ターンテーブル４４には、ベルトコンベヤ３３の一方の側に、ターンテーブル４４に固定されたブラケット５２を介してチャック装置５３が設置されている。チャック装置５３は、一対のチャッキングブレード５４と、フィルムを掴んだり離したりチャッキングブレード５４を開閉するためのアクチュエータ５５とを含む。
【００２７】
以上のことから、スイベル装置４５の回転モータ部４８の作動により、ターンテーブル４４を介して回転ベルトコンベヤ３３、リフト装置４９、４９及びチャック装置５３を一緒に回転させることが理解されよう。
【００２８】
回転ベルトコンベヤ３３の中心でその真上の位置には、上昇するリフタープレート５０によって飼料圧縮物２８がベルトコンベヤ３３から持ち上げられるとき、飼料圧縮物２８を受け止めるための、フレーム組立体２の上水平ビーム２ｄにフレーム５７を介して設置されたスタビライザー装置５６がある（図１０参照）。スタビライザー装置５６は、フレームに固定されたシャフト５８と、その下端に回転可能に取り付けられ、例えばスポンジゴムのようなパッド５９の付いたプッシャプレート６０とを含む。プッシャプレート６０は、パット５９が持ち上げられた飼料圧縮物２８に当たるため飼料圧縮物２８と一緒にシャフト５８を中心に回転し、飼料圧縮物２８を安定化させる。
【００２９】
図１４乃至１６を参照すると、横巻き用のフィルム供給ユニット６１は、回転ベルトコンベヤ３３の一方の側に立て向きにして設置されている。フィルム供給ユニット６１は、フレーム組立体２の支柱２ｅにブラケット６２を介して固定された垂直固定部材６３と、垂直固定部材６３の下端に固定された水平なベース６４に設けられた、プラスチックフィルムＦのロール６５を着脱自在に取り付けるための支持軸６６と、垂直固定部材６３の両端に固着された一対の水平な支持部材６７、６７と、支持部材の一方のアーム６７ａに枢着６８され、連結ロッド６９で互いに連結された一対の水平な可動支持部材７０、７０と、可動支持部材間に回転自在に設けられ、互いに噛み合った直径の異なる歯車７１、７２によって互いに連結された一対の垂直ローラ７３，７３と、可動支持部材７０、７０間に回転自在に設けられた垂直なガイドローラ７４と、可動支持部材７０、７０に軸受け７５を介して両端が回転可能に設けられた連結軸７６に固着され、先端に回転可能に設けられた垂直なガイドローラ７７を有する一対の水平な可動アーム７８と、可動支持部材７０、７０を、枢着６８の軸線を中心にフィルムロール６５に向かって回動させて上流側のローラ７３をフィルムロール６５に圧接させてフィルムロール６５に制動を付与するために、一端が支持部材６７の他方のアーム６７ｂに連結され、他端が可動支持部材７０、７０に連結されたコイルスプリング７９と、を含む。８０は、ガイドローラ７７に掛けられたフィルムの引っ張りに抗して可動アーム７８を連結軸７６の軸線を中心に時計周りに付勢するための引っ張りコイルスプリングである。なお、下流側のローラ７３は、その下端が下側の可動支持部材７０に固定された動力補助装置８１の出力軸に連結されている。この動力補助装置８１は、フィルムの引き出しを容易にするためにローラに補助動力を与えるように作用する。
【００３０】
プラスチックフィルムＦは、縦巻きのフィルムと同様幅が５０cmであり、引き伸ばされると４５cmになる。フィルムＦは、フィルムロール６５から引き出されて上流側のローラ７３と下流側のローラ７３にたすき掛けして通され、次いでガイドローラ７４と７７との間にたすき掛けして通され、最後にチャック装置のチャッキングブレード５４に至る。かくして、プラスチックフィルムＦは、歯車比により下流側のローラ７３を上流側のローラ７３よりも早い速度で駆動するから、下流側のローラはフィルムを引き伸ばされることになる。
【００３１】
回転ベルトコンベヤ３３の一方の側には、フィルムを切断するための切断装置８２がフレーム組立体２の垂直側部材２ｆに設置されている。切断装置８２は、アクチエータ８３によって９０°の範囲に亙って水平方向に回動されるスイングアーム８４を含み、その先端には、フィルムの切断方向に向いたヒートカッタ８５が垂直に取り付けられている。スイングアーム８４には、またヒートカッタ８５に隣接してその後ろ側に可撓性ブレード８６が取り付けられている。可撓性ブレード８６は、後述するように、横巻きされて切断されたフィルムを飼料圧縮物２８に撫で付けるのに役立つ。
【００３２】
フィルム供給ユニット６１のフィルムロール６５から繰り出されたプラスチックフィルムＦがその下縁部分においてチャック装置５３のチャッキングブレード５４で掴まれているものとする。螺旋状に縦巻きされた飼料圧縮物２８が下流の回転ベルトコンベヤ３３へ搬送されて適所に位置すると、リフト装置４９、４９のエアシリンダ装置５１が作動されてリフタープレート５０を上昇させる。リフタープレート５０は、飼料圧縮物２８のベルトコンベヤ３３からはみ出した部分の底に係合して飼料圧縮物２８をベルトコンベヤ３３の面から持ち上げる。次いで、スイベル装置４５の回転モータ部４８の作動により、回転ベルトコンベヤ３３、飼料圧縮物２８、ターンテーブル４４、リフト装置４９、４９及びチャック装置５３を一緒に回転させる。かくして飼料圧縮物２８の回転により、プラスチックフィルムＦをフィルム供給ユニット６１から引き出しながらフィルムは所定の締めつけ力で飼料圧縮物２８に巻き付いて螺旋状縦巻き上に横巻きを形成し、飼料圧縮物２８のフィルム巻きの切り口を塞ぐ。プラスチックフィルムのストレッチ後でもフィルム幅は上述したように、飼料圧縮物２８の高さよりも上下に広いから、フィルムは、上縁部分及び下縁部分が飼料圧縮物からはみ出して飼料圧縮物に巻かれる。はみ出したフィルムの上縁部分はフィルムの締めつけ力により飼料圧縮物２８の上面に直ちに密着する。他方、フィルムの下縁部分は、飼料圧縮物２８をベルトコンベヤから持ち上げているリフターブレード５０にも巻かれるから、リフタープレート５０が引っ込むと直ちに、フィルムの締めつけ力により飼料圧縮物２８の下面に密着する。かくして、飼料圧縮物２８には、螺旋縦巻きとその上から巻かれたフィルム幅の横巻きとからなるラップベールが形成される。
【００３３】
飼料圧縮物２８の回転により、フィルムが飼料圧縮物２８に巻き付くと、チャック装置５３のアクチュエータ５５が作動してチャッキングブレード５４を開かせ、次の掴み操作に備える。フィルムが飼料圧縮物２８に所定回数巻かれてスイベル装置４５が停止するとき、巻き終わったフィルムは、飼料圧縮物２８とフィルム供給ユニット６１のガイドローラ７７との間に張力下で位置し、チャック装置５３のアクチュエータ５５が作動してチャッキングブレード５４をその両側から閉鎖させてフィルムを掴む。次いで、切断装置８２のアクチエータ８３が作動してスイングアーム８４を回動させ、ヒートカッタ８５でフィルムを切断する。フィルムの切断後、横巻きされた飼料圧縮物２８は、コンベヤ３３の走行で下流には運ばれるが、その際可撓性ブレード８６は、切断されたフィルムを飼料圧縮物２８に密着させるように撫で付ける。その後、スイングアーム８４を逆転させてヒートカッタ８５及び可撓性ブレード８６をそれらの元の位置へ戻す。
【００３４】
飼料圧縮物はラップベールの中で発酵し、発酵に伴ってガスが発生するが、そのガスは主として飼料圧縮物の螺旋縦巻きの間やフィルム切り口から横巻き層を通して外部に逃げる。そのためラップベールが発生したガスによって膨れ上がることがない。他方において、ラップベールはフィルムの締めつけにより、外部空気を遮断するから、飼料圧縮物の腐敗を防止することができる。
【００３５】
本発明によれば、ラップベールの螺旋縦巻きと横巻きがそれぞれのステーションで順に行われるのでラップベールを効率的に形成することができる。プラスチックフィルムを押出機の押出ノズルに所要回数巻いて縦巻き層を形成し、飼料圧縮物の押出に伴って縦巻き層の内側からフィルムを引き出して飼料圧縮物に螺旋縦巻きを形成するようにしたから、螺旋巻きをより効率的に且つ迅速に行うことができる。フィルム幅で横巻きするため、横巻き設備の簡易化を図ることができる。
【符号の説明】
【００３６】
１  飼料圧縮物にラップベールを形成するための設備
Ｓ１  縦巻きステーション
Ｓ２  横巻きステーション
２  フレーム組立体
３  定置リング
４  回転リング
５  フィルム供給ユニット
６  回転動力伝達装置
１１  プラスチックフィルムロール
２１  ローラ
２５  ボックス型プッシャー
２６  押出機
２７  押出ノズル
２８  飼料圧縮物
２９  末広がり状切除部
３０  ゲート
３２  定置ベルトコンベヤ
３５  押さえ装置
３６  回転可能なローラ
３７  アクチエータ
３８  切断装置
３９  アクチエータ
４０  スイングアーム
４１  ヒートカッタ
４４  ターンテーブル
４５  スィーベル装置
４９  リフト装置
５０  リフタープレート
５１  エアシリンダ装置
５３  チャック装置
５６  スタビライザー装置
６１  フィルム供給ユニット
８２  切断装置
８３  アクチュエータ
８４  スイングアーム
８５  ヒートカッタ
【図１】
0005480344.tif 000002
【図２】
0005480344.tif 000003
【図３】
0005480344.tif 000004
【図４】
0005480344.tif 000005
【図５】
0005480344.tif 000006
【図６】
0005480344.tif 000007
【図７】
0005480344.tif 000008
【図８】
0005480344.tif 000009
【図９】
0005480344.tif 000010
【図１０】
0005480344.tif 000011
【図１１】
0005480344.tif 000012
【図１２】
0005480344.tif 000013
【図１３】
0005480344.tif 000014
【図１４】
0005480344.tif 000015
【図１５】
0005480344.tif 000016
【図１６】
0005480344.tif 000017